(57)【要約】      （修正有）【課題】付属品の紛失を防止し、かつ、その付属品を保持することが可能な保持具及び保持具を備えた灯油バーナーを提供する。【解決手段】脚部により支持される本体に取り付けられる付属品の保持具２０であって、ベース部１０１と、ベース部１０１の一端側に形成され、脚部に係止する係止部（ソケット部１０２）と、ベース部１０１の他端側に形成され、付属品を保持する保持部（切欠き部１０３）と、を有することを特徴とする。【選択図】図２
0003200230.tif 000002
【実用新案登録請求の範囲】
【請求項１】
脚部により支持される本体に取り付けられる付属品の保持具であって、
ベース部と、
前記ベース部の一端側に形成され、前記脚部に係止する係止部と、
前記ベース部の他端側に形成され、前記付属品を保持する保持部と、
を有することを特徴とする保持具。
【請求項２】
前記保持部は、切り欠き形状に形成されることを特徴とする請求項１に記載の保持具。
【請求項３】
前記保持部の先端に、垂直方向に起立した前記付属品の落下を防止する落下防止部を有することを特徴とする請求項１又は２に記載の保持具。
【請求項４】
前記ベース部は、前記付属品の連結部を取り付ける孔を更に有することを特徴とする請求項１から３のいずれか１項に記載の保持具。
【請求項５】
前記係止部は、
前記脚部との間で摺動自在であり、前記脚部の任意の位置で固定される構造を有することを特徴とする請求項１から４のいずれか１項に記載の保持具。
【請求項６】
請求項１から請求項５のいずれか１項に記載の保持具を備えることを特徴とする灯油バーナー。
【考案の詳細な説明】
【技術分野】
【０００１】
本考案は、保持具及び保持具を備えた灯油バーナーに関する。
【背景技術】
【０００２】
キャンプや野外でのバーベキュー等に手軽に携行できるようにした灯油バーナーが知られている。灯油バーナーは、灯油が入った燃料タンク内の空気を加圧し、メインバーナー部分で気化させて燃焼することで、メインバーナーに着火される。また、メインバーナーに対して、着火時の加熱用として予熱バーナーが付設されている。
【０００３】
例えば、特許文献１に、予熱バーナーの空気通路に調整弁を設けた灯油バーナーが提案されている。特許文献１には、灯油を気化燃焼させるメインバーナーと、メインバーナーの気化部に臨ませた予熱バーナーとを有する灯油バーナーにおいて、予熱バーナーは、燃料放出通路に、調整弁を介設した空気通路を合流させて構成した灯油バーナーに関する技術が開示されている。
【０００４】
特許文献１に開示された技術を適用すれば、予熱バーナーに導かれる燃料及び空気の混合物の混合比は空気調整弁を介して調整できることから、燃焼に好適な混合物を得ることができる。また、空気調整弁を有することから、予熱バーナーの組込み時には、空気のコンダクタンス如何を問題とする必要がなくなり、熟練を要することなく組立てることができる。
【０００５】
ところで、上記した特許文献１に示すように空気調整弁が灯油バーナー本体に固定配置されるタイプの他に、空気調整弁を灯油バーナー本体から着脱自在にした灯油バーナーも知られている。灯油バーナーの空気調整弁に限られず、本体の付属品は、紛失することが多いこと、あるいは不使用時にどこに置いたか分からなくなることが多々ある。そのため、本体ごとに存在する付属品を保持することが可能な保持具の出現が望まれている。
【先行技術文献】
【特許文献】
【０００６】
【特許文献１】実開昭６１−８４３２２号公報
【考案の概要】
【考案が解決しようとする課題】
【０００７】
したがって、本考案では、上記のような課題に鑑み、付属品の紛失を防止し、かつ、その付属品を保持することが可能な保持具及び保持具を備えた灯油バーナーを提供することを目的とする。
【課題を解決するための手段】
【０００８】
上記課題を解決するため、本考案の保持具及び保持具を備えた灯油バーナーは、以下のような解決手段を提供する。
【０００９】
（１）脚部により支持される本体に取り付けられる付属品の保持具であって、ベース部と、前記ベース部の一端側に形成され、前記脚部に係止する係止部と、前記ベース部の他端側に形成され、前記付属品を保持する保持部と、を有することを特徴とする。
【００１０】
（２）また、前記保持部は、切り欠き形状に形成されることを特徴とする。
【００１１】
（３）また、前記保持部の先端に、垂直方向に起立した前記付属品の落下を防止する落下防止部を有することを特徴とする。
【００１２】
（４）前記ベース部は、前記付属品の連結部を取り付ける孔を更に有することを特徴とする。
【００１３】
（５）前記係止部は、前記脚部との間で摺動自在であり、前記脚部の任意の位置で固定される構造を有することを特徴とする。
【００１４】
（６）また、（１）から（５）のいずれか１つに記載の保持具を備えることを特徴とする灯油バーナー。
【考案の効果】
【００１５】
本考案によれば、付属品の紛失を防止し、かつ、その付属品を保持することが可能な保持具及び保持具を備えた灯油バーナーを提供することができる。
【図面の簡単な説明】
【００１６】
【図１】本考案の実施の形態に係る保持具が取り付けられた灯油バーナーの構造を示す図である。
【図２】本考案の実施の形態に係る保持具の詳細を示す図である。
【図３】本考案の実施の形態に係る保持具の取り付け方法を示す図である。
【考案を実施するための形態】
【００１７】
以下、添付図面を参照して、本考案を実施するための形態（以下、実施形態）について詳細に説明する。以降の図においては、実施形態の説明の全体を通して同じ要素には同じ番号又は符号を付している。
【００１８】
（実施形態の構成）
本説明では、灯油バーナー（本体）に付属されている空気調整弁（付属品）を保持する保持具を例として説明する。なお、保持具の素材は、特に限定することはなく、例えば、金属製の金具又は樹脂製のものであってもよい。図１は、本考案の実施形態に係る保持具が取り付けられた灯油バーナー１の構造を示す図である。図１において、灯油バーナー１の基本的構造は、例えば、特許文献１に記載の構造を有するものとする。
【００１９】
具体的に、灯油バーナー１は、燃料タンク１０とメインバーナー１１と、メインバーナー１１の気化部に臨ませた予熱バーナー１２で構成されている。メインバーナー１１の火力は空気調整弁１３によって調整できるようになっている。空気調整弁１３は、着脱式で、円柱状の摘みと、摘みの略中央から垂直方向に延びる調整棒１３ａとを含む。
【００２０】
また、燃料タンク１０の上部には、加圧ポンプ１４、給油口に螺着した給油キャップ１５、加圧ポンプ１４で加圧した数値が表示される加圧計１６が設置されている。また、灯油バーナー１を支持するための脚部１７を有する。
【００２１】
灯油バーナー１の基本的な内部構造については、特許文献１に記載されているため、詳細な説明は重複を回避する意味で省略する。灯油バーナー１は、燃料タンク１０に灯油を注入し、加圧ポンプ１４をポンピングすることで圧縮され、燃料タンク１０内が加圧される。そして、予熱バーナー１２のハンドルを開けることによって、予熱バーナー１２の先端に気化された燃料が放出される。放出された燃料を点火することによって灯油バーナー１が予熱され、十分予熱がなされたことを確認し、空気調整弁１３を開くことでメインバーナー１１側が着火される。
【００２２】
次に、本考案の実施形態に係る保持具２０について説明する。保持具２０は、空気調整弁１３の不使用時に、その空気調整弁１３を保持するために使用される。図２及び図３に示すように、保持具２０は、平板状のベース部１０１と、ベース部１０１の一端側に形成された筒状のソケット部１０２（係止部）と、ベース部１０１の他端側に形成されたＵ字形状の切欠き部１０３（保持部）と、を有する。また、切欠き部１０３の先端に、付属品を保持したときに付属品の端部と接触する、垂直方向に起立した落下防止部１０４を有する。なお、切欠き部１０３の形状は、Ｕ字形状に限定することはなく、例えば、スリット形状等でもよい。
【００２３】
このように、平板状のベース部１０１の一端に筒状のソケット部１０２を有し、そのソケット部１０２に脚部１７を係止することで、保持具２０を固定することができる。なお、ソケット部１０２の形状は、筒状に限定されることはなく、脚部１７の形状に合わせて変形可能である。また、係止部をソケット形状として説明したが、脚部１７に固定される形状であればよく、例えば脚部１７に対して挟持する形状であってもよい。
【００２４】
また、保持具２０は、脚部１７との間で摺動自在であり、任意の位置で固定される構造を有する。すなわち、ソケット部１０２の内径と脚の外径との間に差を設け、保持具２０のソケット部１０２の内側に弾性部材を形成し、弾性部材と脚部１７とが摺動固定可能になるように形成されている。このようにすることで、摺動自在とし、その結果、保持具２０を脚部１７の任意の位置に固定でき、保持具２０の固定位置の高さ調整が可能になる。
【００２５】
また、平板状のベース部１０１の他端にＵ字形状の切欠き部１０３を有することで、不使用時の空気調整弁１３の調整棒１３ａを切欠き部１０３の端部１０５と落下防止部１０４との間に挿入し、保持することができる。また、落下防止部１０４を有することによって、保持された空気調整弁１３が切欠き部１０３の外側から落下することを防止することが可能になる。なお、保持部を切欠き部として説明したが、付属品を保持できる形状であればよく、例えばベース部１０１の他端側に孔を設けて、その孔内に付属品を保持するようにしてもよい。
【００２６】
また、ベース部１０１の任意の位置に孔１０６を有している。この孔１０６は、空気調整弁１３に接続されているチェーン等の連結器具３０（連結部）が取り付けられ、着脱式の空気調整弁１３の紛失を回避する意味で使用される。
【００２７】
なお、本説明では、保持具２０を脚部１７に挿通させることで、保持具２０を固定することとしたが、これに限定することはなく、例えば、円柱形状、凸部形状の部材に保持具２０を固定することも可能である。
【００２８】
（実施形態の効果）
以上の説明のように本考案の実施形態に係る保持具２０は、脚部１７により支持される本体（例えば、灯油バーナー１）に着脱自在に取り付けられる付属品（例えば、空気調整弁１３）の保持具である。そして、その構造は、ベース部１０１と、ベース部１０１の一端側に形成され、脚部１７に係止するソケット部１０２と、ベース部１０１の他端側に形成される切欠き部１０３とからなり、付属品の不使用時、付属品が切欠き部１０３の端部１０５と落下防止部１０４との間に挿入されて保持される。上記構成により、付属品の紛失を防止し、かつ、その付属品を保持することが可能な保持具２０を提供することができる。
【００２９】
また、保持具のソケット部１０２は、脚部１７との間で摺動自在であり、脚部１７の任意の位置で固定される構造を有することで、保持具２０の高さ調整を自在に行うことが可能になるため、空気調整弁等、付属品の縦方向の長さに応じた位置に保持し、固定することが可能になる。
【００３０】
以上、実施形態を用いて本考案を説明したが、本考案の技術的範囲は上記実施形態に記載の範囲に限定されないことは言うまでもない。上記実施形態に、多様な変更又は改良を加えることが可能であることが当業者に明らかである。
【符号の説明】
【００３１】
１      灯油バーナー
１０    燃料タンク
１１    メインバーナー
１２    予熱バーナー
１３    空気調整弁
１４    加圧ポンプ
１５    給油キャップ
１６    加圧計
１７    脚部
２０    保持具
３０    連結器具
１０１  ベース部
１０２  ソケット部
１０３  切欠き部
１０４  落下防止部
１０５  端部
１０６  孔
【図１】
0003200230.tif 000003
【図２】
0003200230.tif 000004
【図３】
0003200230.tif 000005